(57)【要約】【課題】照明光の到達範囲が少なくとも一部で重複する複数の照明器具が存在する場合でも各照明器具から伝送されるデータを受信機で正確に受信する。【解決手段】照明光の到達範囲が少なくとも一部で重複する複数の照明器具Ａ１〜Ａ４ではデータを重畳させるための変調周波数を互いに異ならせている。一方、受信機１０では、複数のバンドパスフィルタ１５ｋで弁別された周波数成分のうちで１乃至複数の周波数成分を選択して復調回路１６に出力している。このため、複数の照明器具Ａｋから送信されたデータをほぼ同時に受信してしまい、何れのデータも正しく復調できなくなってしまうということがなく、複数の照明器具Ａｋから照射される照明光の到達範囲が重複している領域においても各照明器具Ａｋから伝送されるデータを受信機１０で正確に受信することができる。【選択図】        図１
2005176258.tif 000002
【特許請求の範囲】
【請求項１】
照明光にデータを重畳させて伝送する複数の照明器具と、照明光に重畳されたデータを受信する受信機とを有する光伝送システムにおいて、複数の照明器具は、照明光を照射する光源と、直流電力を高周波交流電力に変換し光源に供給して点灯する点灯手段と、点灯手段が直流電力を高周波交流電力に変換する際の動作周波数を変調して照明光にデータを重畳させる伝送制御手段とを備え、受信機は、照明光を受光して電気信号に変換する受光手段と、受光手段から出力する受信信号から複数の変調周波数成分を弁別するとともに少なくとも何れか一つの変調周波数成分からデータを復調する処理手段とを備え、照明光の到達範囲が少なくとも一部で重複する複数の照明器具が存在する場合に当該複数の照明器具では伝送制御手段がデータを重畳させるための変調周波数を互いに異ならせたことを特徴とする光伝送システム。
【請求項２】
受信機は、処理手段で弁別された複数の変調周波数成分を各々記憶する記憶手段を備えたことを特徴とする請求項１記載の光伝送システム。
【請求項３】
受信機は、処理手段で弁別された複数の変調周波数成分の信号レベルを比較する比較手段を備え、処理手段は、比較手段の比較結果に基づいて信号レベルが最も大きい変調周波数成分からデータを復調することを特徴とする請求項１又は２記載の光伝送システム。
【請求項４】
受信機の処理手段は、複数の通過帯域が択一的に切換可能な帯域通過フィルタを有し、該帯域通過フィルタの通過帯域を時分割で切り換えながら複数の変調周波数成分を弁別することを特徴とする請求項１記載の光伝送システム。
【発明の詳細な説明】
【技術分野】
【０００１】
本発明は、照明光にデータを重畳させて伝送する複数の照明器具と、照明光に重畳されたデータを受信する受信機とを有する光伝送システムに関するものである。
【背景技術】
【０００２】
従来より、照明光にデータを重畳させて伝送する複数の照明器具と、照明光に重畳されたデータを受信する受信機とを有する光伝送システムが種々提案されている（例えば、特許文献１並びに特許文献２参照）。
【０００３】
図１４はこの種の光伝送システムの照明器具に搭載されて光源を点灯する点灯装置の一例を示す概略回路構成図である。この点灯装置は、蛍光灯のような放電灯を点灯するための放電灯点灯装置であって、商用の交流電源ＡＣを整流平滑して直流電圧・電流を作成する直流電源部１と、直流電源部１の直流出力を高周波交流に変換して放電灯３に出力するインバータ回路２とを備える。
【０００４】
直流電源部１はダイオードブリッジＤＢからなる全波整流器と、平滑コンデンサＣ１とで構成される。インバータ回路２は所謂ハーフブリッジ型であって、直流電源部１の出力端間に直列接続された２つのスイッチング素子Ｑ１，Ｑ２と、ローサイドのスイッチング素子Ｑ２の両端にカップリングコンデンサＣ２を介して直列接続されたインダクタＬ１及びコンデンサＣ３からなる共振回路とで構成され、コンデンサＣ３の両端（出力端）に放電灯３が接続される。２つのスイッチング素子Ｑ１，Ｑ２は発振回路４から出力されるパルス状の駆動信号によって互いに相補的にスイッチングされる。照明光にデータを重畳させる制御回路５は、送信源６から与えられるデータ信号（Ｈ，Ｌの２値信号）の立ち上がり及び立ち下がり部分の整形や振幅の一定化を行う送信回路５ａと、送信回路５ａで波形処理等がされたデータ信号に応じて発振回路４の発振周波数（スイッチング素子Ｑ１，Ｑ２をスイッチングする駆動信号の周波数）を変調（例えば、ＦＳＫ変調）する周波数変調回路５ｂとを具備し、例えば、マイクロコンピュータ等で構成される。周波数変調回路５ｂは、データ信号がＬレベルのときに発振回路４から出力する駆動信号の周波数（インバータ回路２の動作周波数）を、放電灯３を定格点灯させるために必要な電力が供給可能である動作周波数（以下、点灯周波数と呼ぶ）に設定し、データ信号がＨレベルのときには点灯周波数よりも高い周波数（以下、変調周波数と呼ぶ）に設定する。なお、放電灯３の点灯時におけるインバータ回路２の出力特性は共振回路並びに放電灯３を含めた共振系の共振周波数にピークを持つ山型の波形となり、通常は点灯周波数を共振周波数よりも高い周波数に設定しているから、インバータ回路２の動作周波数を点灯周波数から変調周波数に変化させるとインバータ回路２から放電灯３への供給電力が減少して光出力も低下することになる。
【０００５】
一方、受信機１０は、図１５に示すようにデータが重畳された照明光を受光してデータを復調する受光モジュール１１と、受光モジュール１１から出力されるデータ信号を外部の電子機器１００に伝送する伝送回路１２とで構成される。受光モジュール１１は、フォトダイオードや太陽電池などの光電変換素子を有して受光した照明光を電気信号に変換する受光部１３と、受光部１３の出力信号（受信信号）を増幅する増幅回路１４と、増幅回路１４で増幅された受信信号から変調周波数の周波数成分を弁別する帯域通過（バンドパス）フィルタ１５と、バンドパスフィルタ１５で弁別された周波数成分から元のデータ信号を復調する復調回路１６とを具備している。ここで、図１６（ａ）に示すように放電灯３に流れるランプ電流はインバータ回路２の動作周波数に同期して周期的に変化するが、照明光については同図（ｂ）に示すようにインバータ回路２の動作周波数の２倍の周波数で変化するから、バンドパスフィルタ１５における通過帯域の中心周波数を変調周波数の２倍に設定する必要がある。
【０００６】
上述のような照明器具と受信機１０で構成される光伝送システムは、例えば、図１７（ａ）に示すように通路の天井に複数の照明器具Ａ１，Ａ２，…が所定間隔で配設され、この通路を移動する利用者Ｈが受信機１０を携帯し、照明器具Ａ１，…の照明光に重畳されているデータを受信機１０で受信し且つ復調して電子機器１００（例えば、携帯電話やＰＤＡ端末など）に伝送し、受信したデータで示される情報（例えば、建物内の位置情報など）を電子機器１００の画面に表示したり、スピーカから音声メッセージとして出力することで利用者Ｈに種々の情報を提供する目的などに利用される。ここで、複数の照明器具Ａ１，…は、図１７（ｂ）に示すように隣り合う照明器具Ａ１，…の照明光の到達範囲Ｓ１，Ｓ２，…が部分的に重なるような間隔で配設されており、到達範囲Ｓ１，…の重複部分ＳＳ１，ＳＳ２，…では２つの照明器具Ａ１とＡ２，Ａ２とＡ３，…からのデータが受信できることになる。
【特許文献１】特開昭６０−３２４４３号公報
【特許文献２】特開平１１−３１３０３４号公報
【発明の開示】
【発明が解決しようとする課題】
【０００７】
ところで、上述のような光伝送システムにおいて、複数の照明器具Ａ１，…がそれぞれデータ伝送に同一の変調周波数を使用し、図１８に示すように一定の休止期間Ｔｘ（例えば、１ｍｓ）を空けながら一定の送信期間Ｔｗ（例えば、１０ｍｓ）で同一のデータを周期的に送信しているものとすると、各照明器具Ａ１，…の送信期間Ｔｗが重なってしまうため、利用者Ｈが到達範囲Ｓ１，…の重複部分ＳＳ１，…に居るときには２つの照明器具Ａ１とＡ２，…から送信されたデータをほぼ同時に受信してしまい、何れのデータも正しく復調できなくなってしまう。すなわち、この従来システムではそれぞれの照明器具Ａ１，…から伝送される情報（データ）を正確に取得できない領域（ＳＳ１，ＳＳ２，…）が存在するという問題があった。
【０００８】
一方、上述のような問題を解決するため、図１９に示すように複数の照明器具Ａ１，Ａ２，…を互いの到達範囲Ｓ１，Ｓ２，…が重複しないように間隔を広げて配設し、それぞれの照明器具Ａ１，…の間にデータ伝送機能を有しない点灯装置を備えた一般の照明器具Ｂ１，Ｂ２，…を配設するようにした光伝送システムが提供されている。しかしながら、この従来システムにおいては情報が全く取得できない領域が存在することになり、例えば、位置情報を伝送するシステムなどにおいて不都合が生じる。
【０００９】
本発明は上記事情に鑑みて為されたものであり、その目的は、照明光の到達範囲が少なくとも一部で重複する複数の照明器具が存在する場合でも各照明器具から伝送されるデータを受信機で正確に受信することができる光伝送システムを提供することにある。
【課題を解決するための手段】
【００１０】
請求項１の発明は、上記目的を達成するために、照明光にデータを重畳させて伝送する複数の照明器具と、照明光に重畳されたデータを受信する受信機とを有する光伝送システムにおいて、複数の照明器具は、照明光を照射する光源と、直流電力を高周波交流電力に変換し光源に供給して点灯する点灯手段と、点灯手段が直流電力を高周波交流電力に変換する際の動作周波数を変調して照明光にデータを重畳させる伝送制御手段とを備え、受信機は、照明光を受光して電気信号に変換する受光手段と、受光手段から出力する受信信号から複数の変調周波数成分を弁別するとともに少なくとも何れか一つの変調周波数成分からデータを復調する処理手段とを備え、照明光の到達範囲が少なくとも一部で重複する複数の照明器具が存在する場合に当該複数の照明器具では伝送制御手段がデータを重畳させるための変調周波数を互いに異ならせたことを特徴とする。
【００１１】
この発明によれば、照明光の到達範囲が少なくとも一部で重複する複数の照明器具が存在する場合に当該複数の照明器具では伝送制御手段がデータを重畳させるための変調周波数を互いに異ならせ、受光手段から出力する受信信号から複数の変調周波数成分を弁別するとともに少なくとも何れか一つの変調周波数成分からデータを復調する処理手段を受信機に備えたので、複数の照明器具から照射される照明光の到達範囲が重複している領域においても各照明器具から伝送されるデータを受信機で正確に受信することができる。
【００１２】
請求項２の発明は、請求項１の発明において、受信機は、処理手段で弁別された複数の変調周波数成分を各々記憶する記憶手段を備えたことを特徴とする。
【００１３】
この発明によれば、複数の照明器具から伝送される複数のデータを略同時に取得することが可能となる。
【００１４】
請求項３の発明は、請求項１又は２の発明において、受信機は、処理手段で弁別された複数の変調周波数成分の信号レベルを比較する比較手段を備え、処理手段は、比較手段の比較結果に基づいて信号レベルが最も大きい変調周波数成分からデータを復調することを特徴とする。
【００１５】
この発明によれば、複数の変調周波数成分のうちで信号レベルが最も大きい変調周波数成分のみからデータを復調するため、受信機との距離が最も近い照明器具から伝送されるデータを取得することが可能となる。
【００１６】
請求項４の発明は、請求項１の発明において、受信機の処理手段は、複数の通過帯域が択一的に切換可能な帯域通過フィルタを有し、該帯域通過フィルタの通過帯域を時分割で切り換えながら複数の変調周波数成分を弁別することを特徴とする。
【００１７】
この発明によれば、回路構成の簡素化によるコストダウン並びに小型化が図れる。
【発明の効果】
【００１８】
本発明によれば、照明光の到達範囲が少なくとも一部で重複する複数の照明器具が存在する場合に当該複数の照明器具では伝送制御手段がデータを重畳させるための変調周波数を互いに異ならせ、受光手段から出力する受信信号から複数の変調周波数成分を弁別するとともに少なくとも何れか一つの変調周波数成分からデータを復調する処理手段を受信機に備えたので、複数の照明器具から照射される照明光の到達範囲が重複している領域においても各照明器具から伝送されるデータを受信機で正確に受信することができるという効果がある。
【発明を実施するための最良の形態】
【００１９】
（実施形態１）
本実施形態の光伝送システムは、介護施設や病院における視覚障害者向けの自立支援に利用されるものである。但し、これ以外の場所や用途に用いられる光伝送システムにも本発明の技術思想が適用可能であることはいうまでもない。
【００２０】
本実施形態の光伝送システムを構成する複数の照明器具Ａ１，Ａ２，…は何れも共通の構成を有し、図１（ａ）に示すように介護施設や病院の通路等の天井に一定の間隔を空けて配設され、各々の配設場所を特定するための位置情報（例えば、男性トイレ前、女性トイレ前、階段前などを示す情報）のデータを照明光に重畳して周期的に伝送している。また個々の照明器具Ａ１，…が具備する点灯装置は、図１４に示した従来例の放電灯点灯装置と共通の構成を有するものであるから図示は省略するが、Ｈレベルのデータ信号の変調周波数が各照明器具Ａ１，…毎に異なる周波数に設定されている点が従来例と相違する。但し、直流電源部１を力率改善のために昇圧チョッパ回路で構成してもよいし、あるいは電池で構成することも可能である。また、インバータ回路２についてもハーフブリッジ型に限らず、フルブリッジ型などの他の形式のものでもよいし、直流電源部１を構成する昇圧チョッパ回路との間でスイッチング素子を兼用する構成であっても構わない。なお、各照明器具Ａ１，…に対してデータ信号を与える送信源６はＲＯＭなどの記憶素子や他の機器、ディップスイッチ等で構成する設定手段で構成可能である。
【００２１】
一方、受信機１０は利用者Ｈが携帯可能な構造を有するものであって、図２に示すように受光モジュール１１と伝送回路１２を備える。受光モジュール１１は、従来例と共通の受光部１３、増幅回路１４並びに復調回路１６と、各々異なる通過帯域を有する複数のバンドバスフィルタ１５1，１５2，…，１５ｎと、複数のバンドパスフィルタ１５ｋ（ｋ＝１〜ｎ）で弁別された周波数成分のうちで１乃至複数の周波数成分を選択して復調回路１６に出力する制御部１７と、制御部１７に対して何れのバンドパスフィルタ１５ｋで弁別される周波数成分を選択するかを設定するための設定部１９とを具備している。例えば、設定部１９でバンドパスフィルタ１５3を選択すれば、このバンドバスフィルタ１５3で弁別される周波数成分のみが制御部１７から復調回路１６に出力されて復調回路１６で元のデータ信号に復調され、伝送回路１２を通じて電子機器１００に伝送される。
【００２２】
而して、照明光の到達範囲が重複しない照明器具Ａｋの変調周波数に対応したバンドパスフィルタ１５ｋを選択するように設定部１９で設定すれば、複数の照明器具Ａｋから送信されたデータをほぼ同時に受信してしまい、何れのデータも正しく復調できなくなってしまうということがなく、複数の照明器具Ａｋから照射される照明光の到達範囲が重複している領域においても各照明器具Ａｋから伝送されるデータを受信機１０で正確に受信することができる。
【００２３】
例えば、図３に示すように照明器具Ａ１が男性トイレ前、照明器具Ａ２が女性トイレ前にそれぞれ設置されて各々の位置を表す位置情報を互いに異なる変調周波数で周期的に伝送しているものとしたとき、受信機１０を携帯した利用者Ｈが２つの照明器具Ａ１，Ａ２の照明光の到達範囲Ｓ１，Ｓ２が重複する領域に居る場合であっても、設定部１９によって設定された変調周波数のデータ信号のみが受信機１０で受信されるため、利用者Ｈにとって必要な情報（例えば、利用者Ｈが男性であれば「男性トイレ前」を表す位置情報）を確実に取得することができる。
【００２４】
ところで、本実施形態では、受光部１３に入光する照明光から特定の波長の光のみを通過させる光学フィルタ１８が受信機１０の受光モジュール１１に設けてあり、照明光に含まれる赤外線領域、可視領域、紫外線領域などの適当な波長領域の光を選択的に受光する構成としており、例えば、赤外線領域を選択すれば、一般に普及している赤外線リモコンの受光モジュールを受信機１０の受光モジュール１１に流用することができてコストダウンが図れるという利点がある。また、放電灯３の種類によって出力レベルの高い波長成分を選択すれば、伝送距離を伸ばすことができるという利点がある。
【００２５】
（実施形態２）
実施形態１の光伝送システムにおいては、受信機１０で受信した位置情報によって利用者Ｈに目的地（例えば、男性トイレ）の位置を知らせることができるが、受信機１０を携帯している利用者Ｈの現在位置を知ることは困難である。そこで本実施形態は、複数の照明器具Ａ１，…からほぼ同時刻に位置情報を取得し、受信機１０を携帯する利用者Ｈに対して現在位置を知らせることを可能とするため、図４に示すように複数のバンドパスフィルタ１５1，１５2，…，１５ｎで弁別された周波数成分の信号をそれぞれ個別に記憶する複数の記憶部２０1，２０2，…，２０ｎを受信機１０の受光モジュール１１に具備している。
【００２６】
例えば、図５に示すように３台の照明器具Ａ１，Ａ２，Ａ３が互いに等間隔で配設され、それぞれの照明光の到達範囲Ｓ１，Ｓ２，Ｓ３が部分的に重複する領域が存在する場合において、受信機１０を携帯した利用者が３つの到達範囲Ｓ１，Ｓ２，Ｓ３の重複領域に居るとすると、受信機１０では、各照明器具Ａ１，Ａ２，Ａ３から伝送されたデータ信号をほぼ同時刻に受信し、各照明器具Ａ１，Ａ２，Ａ３からのデータ信号が重畳されている周波数成分をバンドパスフィルタ１５1〜１５3で弁別して記憶部２０1〜２０3に記憶し、さらに制御部１７を通して順番に復調回路１６で復調したデータ信号を伝送回路１２から電子機器１００に伝送する。電子機器１００においては、本システムが導入されている施設内の地図情報と各照明器具Ａ１，Ａ２，…の設置箇所の情報が予めメモリに格納されており、３台の照明器具Ａ１，Ａ２，Ａ３からほぼ同時刻に位置情報（データ信号）が取得できたことから、これら３台の照明器具Ａ１，Ａ２，Ａ３からほぼ等距離にある位置の位置情報を地図情報から取得し、取得した位置情報（利用者の現在位置の情報）を液晶ディスプレイ上に地図表示するなどして利用者に知らせることができる。
【００２７】
ところで、上述のように受信機１０を携帯する利用者の現在位置が把握できれば、介護施設や病院における自立支援以外の用途にも本実施形態の光伝送システムを応用することが可能である。
【００２８】
例えば、図６（ａ）に示すシステムでは、書籍売り場１１０の天井に多数の照明器具Ａｋ（ｋ＝１，２，…）がマトリクス状に配設されて各々が自己の位置情報を周期的に伝送し、売り場に陳列されている多数の書籍Ｂに取り付けられた受信機１０で照明器具Ａｋから伝送されるデータを受信し、これらの受信機１０からは書籍Ｂの書名等を特定するＩＤ番号と照明器具Ａｋから取得した位置情報のデータとが無線信号で定期的に送信されている。そして、利用者（書籍の購入者）Ｈが携帯する受信機１０では、利用者Ｈが探している書籍ＢのＩＤ番号が入力されると当該ＩＤ番号に一致する無線信号を受信して位置情報のデータを取得し、取得した位置情報のデータに基づいて当該書籍Ｂが陳列されている場所（実際には、書籍Ｂの近くに配設されている照明器具Ａｋの位置）を電子機器１００を介して利用者Ｈに知らせるのである。
【００２９】
あるいは、図７に示すようにデータ伝送用の照明器具Ａ１，…からそれぞれ設置場所に対応した位置情報のデータを照明光に重畳して伝送し、受信機１０1〜１０3を利用者Ｈが携帯したり物品Ｃに取り付け、これらの受信機１０1〜１０3が照明器具Ａ１，…から位置情報を取得したとき、各受信機１０1，…の現在位置の情報を時間とともに一元管理する管理装置Ｍに対して無線信号で送信するようなシステム構成を基本として、物品販売店におけるマーケティング支援（トレーサビリティ）などへの応用も考えられる。例えば、上述の書籍売り場１１０における書籍Ｂの検索支援システムにマーケティング支援の機能を持たせることもできる。具体的な例で説明すると、図８（ａ）に示すように書籍売り場１１０の天井に配設されている多数の照明器具Ａｋがそれぞれ位置情報を周期的に伝送し、検索対象の書籍Ｂが陳列されている場所（照明器具Ａｋの配設場所）に向かって利用者Ｈが移動している間、移動経路中に配置されている照明器具Ａ１，…から取得した位置情報に基づいて利用者Ｈの現在位置を電子機器１０の表示画面に表示するとともに、当該電子機器１００から管理装置Ｍに対して移動する利用者Ｈの現在位置を無線信号で送信している。そして、管理装置Ｍでは利用者Ｈが売り場１１０内をどのような経路で移動したかを受信機１０から送られてくる現在位置の情報によって管理し、顧客の行動特性を分析して売り場１１０内での書籍の陳列場所等を適切に設定するためのマーケティング支援を行っている。
【００３０】
（実施形態３）
本実施形態における受信機１０のブロック図を図９に示す。本実施形態の受信機１０が実施形態１のものと異なる点は、複数のバンドバスフィルタ１５1，１５2，…，１５ｎで弁別された各変調周波数成分の信号レベル同士を比較して最も信号レベルが大きい変調周波数成分のみを制御部１７に出力する比較部２１を具備する点にある。
【００３１】
而して、本実施形態の受信機１０では、複数の照明器具Ａ１，…から受信したデータ信号のうちで信号レベルが最も大きいデータ信号、つまり、最も近い距離にある照明器具Ａ１，…のデータ信号のみを選択して電子機器１００に出力するため、受信機１０の位置をより正確に把握することができるという利点がある。
【００３２】
（実施形態４）
本実施形態における受信機１０のブロック図を図１０に示す。本実施形態の受信機１０は、複数の通過帯域が択一的に切換可能なバンドパスフィルタ１５と、バンドパスフィルタ１５で弁別された変調周波数成分を記憶する記憶部２０とを具備している。
【００３３】
バンドパスフィルタ１５は複数の照明器具毎に設定されている複数の変調周波数の２倍の周波数を中心周波数とする複数の通過帯域ｆ１，ｆ２，…，ｆｎが切換可能に構成されており、図１１に示すように所定時間Ｔａ毎に複数の通過帯域ｆ１〜ｆｎを順次切り換えながら複数の変調周波数成分を弁別する。そして、時分割で弁別された複数の周波数変調成分が時系列で記憶部２０に記憶され、制御部１７によって順次読み出された変調周波数成分から復調回路１６によりデータが復調され、復調されたデータが伝送回路１２により電子機器１００に伝送される。
【００３４】
而して、本実施形態の受信機１０では一つのバンドパスフィルタ１５で複数の変調周波数成分を弁別するため、回路構成の簡素化によるコストダウン並びに小型化が図れるという利点がある。
【００３５】
（実施形態５）
本実施形態における受信機１０のブロック図を図１２に示す。本実施形態の受信機１０は、所定の受光角φで光を受光部１３の受光素子に集光する光学系２２を備えている。なお、光学系２２の受光角φは照明器具Ａｋの配置に応じて約２０度〜４０度程度に設定される。また、制御部１７では複数のバンドパスフィルタ１５ｋで弁別された周波数成分を択一的に選択して復調回路１６に出力するのではなく、全てのバンドパスフィルタ１５ｋについて弁別された周波数成分が出力される都度、復調回路１６に出力する。よって、バンドパスフィルタ１５ｋを選択するための設定部１９は不要である。
【００３６】
次に、上述のように構成される受信機１０を利用した光伝送システムの一例について説明する。この光伝送システムは、実施形態１でも簡単に説明したような介護施設や病院における視覚障害者向けの自立支援に利用されるものである。
【００３７】
本システムにおける照明器具Ａｋは、図１３（ｂ）に示すように天井に直接取り付けられる直付け形であって、特に直管形の蛍光灯（放電灯）３を２灯有する「富士型器具」と呼ばれるものや、環形の蛍光灯を有する「シーリングライト」と呼ばれるものである。これらの照明器具Ａｋは、例えば、図１３（ａ）に示すようにデータ伝送機能を有しない一般の照明器具Ａｋ’とともに、介護施設のラウンジ２００や廊下２０１の天井に一定の間隔を空けて配設されている。
【００３８】
データ伝送用の照明器具Ａｋでは、その配設場所を特定するための位置情報、例えば、ラウンジ、男性トイレ前、女性トイレ前、階段前、廊下の突き当たりなどを示す位置情報のデータを照明光に重畳して周期的に伝送している。
【００３９】
一方、照明器具Ａｋから照射する照明光に重畳されたデータは、介護施設で介護を受ける被介護者（視覚障害者）Ｈが携帯する携帯端末６０で受信される。この携帯端末６０は、上述の受信機１０と電子機器１００を一体に備えるものであって、受信機１０で取得した位置情報に対応したメッセージデータをメモリ部から読み出す処理や読み出したメッセージデータを再生してスピーカから音声メッセージを出力する処理等を行う演算処理部を備えている。
【００４０】
次に、本システムの動作について説明する。例えば、被介護者Ｈがラウンジ２００から男性トイレに移動しようとした場合、携帯端末６０の受光部１３を進行方向に向けて廊下２０１を移動し、受光角φ内で男性トイレ前に配設されている照明器具Ａｋからの照明光を受光すると照明光に重畳されているデータが携帯端末６０（受信機１０）で受信され、携帯端末６０のスピーカから「男性トイレ前です」というような位置情報に対応した音声メッセージが出力される。ここで携帯端末６０の演算処理部では、バンドパスフィルタ１５ｋで弁別された変調周波数成分の信号レベルが低いときほどスピーカから出力する音声メッセージに重畳するノイズ成分を増大させるようにしており、音声メッセージが明瞭に聞き取れる方向へ携帯端末６０の受光部１３が向けられることで目的地（この場合は男性トイレ）の位置を被介護者Ｈが正確に知ることができ、被介護者Ｈが自らの判断で目的地へ安全に移動することを支援することができるものである。
【図面の簡単な説明】
【００４１】
【図１】実施形態１のシステム構成図である。
【図２】同上における受信機のブロック図である。
【図３】同上の動作説明図である。
【図４】実施形態２における受信機のブロック図である。
【図５】同上の動作説明図である。
【図６】同上を用いた検索支援システムのシステム構成図である。
【図７】同上を用いた応用システムのシステム構成図である。
【図８】同上を用いたマーケティング支援システムのシステム構成図である。
【図９】実施形態３における受信機のブロック図である。
【図１０】実施形態４における受信機のブロック図である。
【図１１】同上の動作説明用のタイムチャートである。
【図１２】実施形態５における受信機のブロック図である。
【図１３】同上を用いた自立支援システムのシステム構成図である。
【図１４】従来例における照明器具の点灯装置を示す概略回路構成図である。
【図１５】従来例における受信機のブロック図である。
【図１６】同上の動作説明図である。
【図１７】同上の動作説明図である。
【図１８】同上の動作説明図である。
【図１９】同上の動作説明図である。
【符号の説明】
【００４２】
Ａ１〜Ａ４  照明器具
１０  受信機
１１  受光モジュール
１３  受光部
１５1〜１５ｎ  バンドパスフィルタ
１６  復調回路
１７  制御部
１９  設定部
【図１】
2005176258.tif 000003
【図２】
2005176258.tif 000004
【図３】
2005176258.tif 000005
【図４】
2005176258.tif 000006
【図５】
2005176258.tif 000007
【図６】
2005176258.tif 000008
【図７】
2005176258.tif 000009
【図８】
2005176258.tif 000010
【図９】
2005176258.tif 000011
【図１０】
2005176258.tif 000012
【図１１】
2005176258.tif 000013
【図１２】
2005176258.tif 000014
【図１３】
2005176258.tif 000015
【図１４】
2005176258.tif 000016
【図１５】
2005176258.tif 000017
【図１６】
2005176258.tif 000018
【図１７】
2005176258.tif 000019
【図１８】
2005176258.tif 000020
【図１９】
2005176258.tif 000021